(57)【特許請求の範囲】
【請求項１】
無線基地局が、送信電力制御チャネルを介して、移動局において使用される上りユーザデータの送信電力を制御するための送信電力制御情報を通知する移動通信方法であって、
前記移動局が、特定セクタにおいて前記無線基地局との間で無線リンクを設定する際に、無線制御装置が、該特定セクタ以外のセクタにおけるチャネライゼーションコード及び送信タイミングの使用状況に基づいて、該移動局用のチャネライゼーションコード及び送信タイミングを割り当てる工程Ａと、
前記無線基地局が、割り当てられた前記チャネライゼーションコード及び前記送信タイミングで、前記送信電力制御チャネルを介して、前記移動局に対して前記送信電力制御情報を通知する工程Ｂとを有することを特徴とする移動通信方法。
【請求項２】
無線基地局が、送信電力制御チャネルを介して、移動局において使用される上りユーザデータの送信電力を制御するための送信電力制御情報を通知するように構成されている移動通信システムであって、
前記無線制御装置は、前記移動局が、特定セクタにおいて前記無線基地局との間で無線リンクを設定する際に、該特定セクタ以外のセクタにおけるチャネライゼーションコード及び送信タイミングの使用状況に基づいて、該移動局用のチャネライゼーションコード及び送信タイミングを割り当てるように構成されている割当部を具備し、
前記無線基地局は、前記無線制御装置の割当部によって割り当てられた前記チャネライゼーションコード及び前記送信タイミングで、前記送信電力制御チャネルを介して、前記移動局に対して前記送信電力制御情報を通知するように構成されていることを特徴とする移動通信システム。
【請求項３】
前記割当部は、
前記特定セクタ内で使用可能なチャネライゼーションの中で最小の識別番号を有する最小チャネライゼーションコードにおいて使用可能な第１送信タイミングをランダムに選択し、
前記第１送信タイミングが、前記無線制御装置配下の全てのセクタにおける全てのチャネライゼーションコードで使用可能である場合、前記移動局用のチャネライゼーションコード及び送信タイミングとして、該第１送信タイミング及び前記最小チャネライゼーションコードを割り当てるように構成されていることを特徴とする請求項２に記載の移動通信システム。
【請求項４】
前記割当部は、
前記第１送信タイミングが、前記無線制御装置配下の全てのセクタにおける全てのチャネライゼーションコードで使用可能でない場合、前記特定セクタ内で、再度、前記最小チャネライゼーションコードにおいて使用可能な第２送信タイミングをランダムに選択し、
前記移動局用のチャネライゼーションコード及び送信タイミングとして、該第２送信タイミング及び前記最小チャネライゼーションコードを割り当てるように構成されていることを特徴とする請求項３に記載の移動通信システム。
【請求項５】
前記割当部は、前記第１送信タイミングが、前記無線制御装置配下の全てのセクタにおける全てのチャネライゼーションコードで使用可能でない場合、前記特定セクタ内で、該無線制御装置配下の全てのセクタで最も使用頻度が低いチャネライゼーションコード及び送信タイミングの組み合わせを選択し、
前記移動局用のチャネライゼーションコード及び送信タイミングとして、前記無線制御装置配下の全てのセクタで最も使用頻度が低いチャネライゼーションコード及び送信タイミングの組み合わせを割り当てるように構成されていることを特徴とする請求項３に記載の移動通信システム。
【請求項６】
無線基地局が、無線制御装置によって割り当てられたチャネライゼーションコード及び送信タイミングで、送信電力制御チャネルを介して、移動局において使用される上りユーザデータの送信電力を制御するための送信電力制御情報を通知するように構成されている移動通信システムで用いられる無線制御装置であって、
前記移動局が、特定セクタにおいて前記無線基地局との間で無線リンクを設定する際に、該特定セクタ以外のセクタにおけるチャネライゼーションコード及び送信タイミングの使用状況に基づいて、該移動局用のチャネライゼーションコード及び送信タイミングを割り当てるように構成されている割当部を具備することを特徴とする無線制御装置。
【請求項７】
前記割当部は、
前記特定セクタ内で使用可能なチャネライゼーションの中で最小の識別番号を有する最小チャネライゼーションコードにおいて使用可能な第１送信タイミングをランダムに選択し、
前記第１送信タイミングが、前記無線制御装置配下の全てのセクタにおける全てのチャネライゼーションコードで使用可能である場合、前記移動局用のチャネライゼーションコード及び送信タイミングとして、該第１送信タイミング及び前記最小チャネライゼーションコードを割り当てるように構成されていることを特徴とする請求項６に記載の無線制御装置。
【請求項８】
前記割当部は、
前記第１送信タイミングが、前記無線制御装置配下の全てのセクタにおける全てのチャネライゼーションコードで使用可能でない場合、前記特定セクタ内で、再度、前記最小チャネライゼーションコードにおいて使用可能な第２送信タイミングをランダムに選択し、
前記移動局用のチャネライゼーションコード及び送信タイミングとして、該第２送信タイミング及び前記最小チャネライゼーションコードを割り当てるように構成されていることを特徴とする請求項７に記載の無線制御装置。
【請求項９】
前記割当部は、前記第１送信タイミングが、前記無線制御装置配下の全てのセクタにおける全てのチャネライゼーションコードで使用可能でない場合、前記特定セクタ内で、前記無線制御装置配下の全てのセクタで最も使用頻度が低いチャネライゼーションコード及び送信タイミングの組み合わせを選択し、
前記移動局用のチャネライゼーションコード及び送信タイミングとして、前記無線制御装置配下の全てのセクタで最も使用頻度が低いチャネライゼーションコード及び送信タイミングの組み合わせを割り当てるように構成されていることを特徴とする請求項７に記載の無線制御装置。
【発明の詳細な説明】
【技術分野】
【０００１】
本発明は、無線基地局が、送信電力制御チャネルを介して、移動局において使用される上りユーザデータの送信電力を制御するための送信電力制御情報を通知する移動通信方法、移動通信システム及び無線制御装置に関する。
【背景技術】
【０００２】
図５に示すように、３ＧＰＰ  Ｒｅｌｅａｓｅ  ６で規定されている移動通信システムでは、各無線基地局ＮｏｄｅＢ＃１及び＃２が、送信電力制御チャネル（Ｆ-ＤＰＣＨ：Ｆｒａｃｔｉｏｎａｌ  Ｄｅｄｉｃａｔｅｄ  Ｐｈｙｓｉｃａｌ  Ｃｈａｎｎｅｌ）を介して、各移動局ＵＥ＃１及び＃２において使用される上りユーザデータの送信電力を制御するための送信電力制御情報を通知するように構成されている。
【０００３】
ここで、図６乃至図８を参照して、Ｆ-ＤＰＣＨを介して送信電力情報を通知する方法について説明する。
【０００４】
図６に示すように、Ｆ-ＤＰＣＨにおける各無線フレーム（１０ｍｓ）は、１５のスロット（スロット＃０乃至＃１４）によって構成されている。
【０００５】
かかる無線フレームにおける各スロットの構造は、図７に示すテーブルによって規定されている。
【０００６】
ここで、「スロットフォーマット」は、各スロットのフォーマットを識別するインデックスを示す。３ＧＰＰ  Ｒｅｌｅａｓｅ６では、Ｆ-ＤＰＣＨ用のスロットとして、１種類のフォーマットのみが規定されているが、３ＧＰＰ  Ｒｅｌｅａｓｅ７では、Ｆ-ＤＰＣＨ用のスロットとして、Ｆ-ＤＰＣＨシンボル（送信電力制御情報）のスロット先頭位置からオフセットの違いに応じて設定される１０種類のフォーマットが規定されている。
【０００７】
「拡散符号」は、各スロットにおいて１シンボルが何チップで構成されているかについて示す。図７に示すように、Ｆ-ＤＰＣＨ用のスロットでは、１シンボルが、２５６チップによって構成されている。
【０００８】
「ビットパターン」は、各スロットにおいて送信されるビットパターンを示す。図７に示すように、Ｆ-ＤＰＣＨ用のスロットでは、「１１」又は「００」のいずれかのビットパターンが送信される。
【０００９】
「チャネルビットレート」は、Ｆ-ＤＰＣＨにおけるビットレートを示す。図６に示すように、Ｆ-ＤＰＣＨ用のスロットでは、Ｆ-ＤＰＣＨシンボルとして、１シンボルのみが送信され、１０ｍｓの無線フレーム内で、１５個のスロット（０．６６ｍｓ）が送信されているため、図７に示すように、Ｆ-ＤＰＣＨにおけるビットレートは、「３ｋｂｐｓ（＝１５スロット×２ビット／１０ｍｓ）」となる。
【００１０】
「チャネルシンボルレート」は、Ｆ-ＤＰＣＨにおけるシンボルレートを示す。Ｆ-ＤＰＣＨは、ＱＰＳＫ方式によって変調されるため、Ｆ-ＤＰＣＨにおけるシンボルレートは、Ｆ-ＤＰＣＨにおけるビットレートの半分の「１．５ｋｂｐｓ」となる。
【００１１】
ここで、Ｆ-ＤＰＣＨは、移動局ＵＥごとに個別に割り当てられる。また、各Ｆ-ＤＰＣＨは、各セクタにおいてユニークなチャネライゼーションコードによって特定される。
【００１２】
また、図８に示すように、１つのチャネライゼーションコードによって特定される各Ｆ-ＤＰＣＨは、１０台の移動局ＵＥ＃１乃至＃１０によって時間多重で共有される。
【００１３】
ここで、各移動局ＵＥ＃１乃至＃１０用のＦ-ＤＰＣＨシンボル＃１乃至＃１０は、ＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）からのオフセットによって定義される送信タイミングτ１乃至τ１０で送信されるように構成されている。
【００１４】
また、図９を参照して、３ＧＰＰで規定されている移動通信システムにおいて、移動局ＵＥに対して、Ｆ-ＤＰＣＨシンボルを送信するチャネライゼーションコード（ＣＣ）及び送信タイミングを割り当てる方法について説明する。
【００１５】
例えば、図９に示すように、無線制御装置ＲＮＣは、移動局ＵＥが、セクタ＃ｎにおいて無線基地局ＮｏｄｅＢ＃１を介して通信を開始する際に、かかる特定セクタにおいて使用可能なチャネライゼーションの中で最小の識別番号を有する最小チャネライゼーションコードＣＣ＃１において使用可能な送信タイミング＃６をランダムに選択し、当該移動局ＵＥに対して割り当てるように構成されている。
【００１６】
また、無線制御装置ＲＮＣは、移動局ＵＥが、セクタ＃ｎ或いは他のセル＃ｎ＋１において、無線基地局ＮｏｄｅＢ＃１或いはＮｏｄｅＢ＃２との間で無線リンクを追加する際に、当該無線リンクについて、上述の通信開始時に割り当てられた最小チャネライゼーションコードＣＣ＃１及び送信タイミング＃６を用いて、Ｆ-ＤＰＣＨシンボルを送信するように構成されている。
【非特許文献１】３ＧＰＰ  ＴＳ２５.２１１  Ｖ７.２.０
【発明の開示】
【発明が解決しようとする課題】
【００１７】
しかしながら、上述の移動通信システムでは、図５に示すように、移動局ＵＥ＃２が、無線基地局ＮｏｄｅＢ＃２配下のセクタ＃Ｂ１から、無線基地局ＮｏｄｅＢ＃１配下のセクタ＃Ａ２にハンドオーバした場合に、セクタ＃Ａ２において、ハンドオーバ前に移動局ＵＥ＃２に対して割り当てられていた送信タイミングτＡ及び最小チャネライゼーションコードＣＣ＃１が、移動局ＵＥ＃１に対して割り当てられている場合、移動局ＵＥ＃１に対して送信されるＦ-ＤＰＣＨシンボルと移動局ＵＥ＃２に対して送信されるＦ-ＤＰＣＨシンボルとが衝突してしまうという問題点があった。
【００１８】
そこで、本発明は、上述の課題に鑑みてなされたものであり、特定セクタへのハンドオーバ後の移動局ＵＥに対して送信されるＦ-ＤＰＣＨシンボルが、特定セクタ内の別の移動局ＵＥに対して送信されるＦ-ＤＰＣＨシンボルと衝突するという事態を可及的に回避することができる移動通信方法、移動通信システム及び無線制御装置を提供することを目的とする。
【課題を解決するための手段】
【００１９】
本発明の第１の特徴は、無線基地局が、送信電力制御チャネルを介して、移動局において使用される上りユーザデータの送信電力を制御するための送信電力制御情報を通知する移動通信方法であって、前記移動局が、特定セクタにおいて前記無線基地局との間で無線リンクを設定する際に、無線制御装置が、該特定セクタ以外のセクタにおけるチャネライゼーションコード及び送信タイミングの使用状況に基づいて、該移動局用のチャネライゼーションコード及び送信タイミングを割り当てる工程Ａと、前記無線基地局が、割り当てられた前記チャネライゼーションコード及び前記送信タイミングで、前記送信電力制御チャネルを介して、前記移動局に対して前記送信電力制御情報を通知する工程Ｂとを有することを要旨とする。
【００２０】
本発明の第２の特徴は、無線基地局が、送信電力制御チャネルを介して、移動局において使用される上りユーザデータの送信電力を制御するための送信電力制御情報を通知するように構成されている移動通信システムであって、前記無線制御装置は、前記移動局が、特定セクタにおいて前記無線基地局との間で無線リンクを設定する際に、該特定セクタ以外のセクタにおけるチャネライゼーションコード及び送信タイミングの使用状況に基づいて、該移動局用のチャネライゼーションコード及び送信タイミングを割り当てるように構成されている割当部を具備し、前記無線基地局は、前記無線制御装置の割当部によって割り当てられた前記チャネライゼーションコード及び前記送信タイミングで、前記送信電力制御チャネルを介して、前記移動局に対して前記送信電力制御情報を通知するように構成されていることを要旨とする。
【００２１】
本発明の第２の特徴において、前記割当部は、前記特定セクタ内で使用可能なチャネライゼーションの中で最小の識別番号を有する最小チャネライゼーションコードにおいて使用可能な第１送信タイミングをランダムに選択し、前記第１送信タイミングが、前記無線制御装置配下の全てのセクタにおける全てのチャネライゼーションコードで使用可能である場合、前記移動局用のチャネライゼーションコード及び送信タイミングとして、該第１送信タイミング及び前記最小チャネライゼーションコードを割り当てるように構成されていてもよい。
【００２２】
本発明の第２の特徴において、前記割当部は、前記第１送信タイミングが、前記無線制御装置配下の全てのセクタにおける全てのチャネライゼーションコードで使用可能でない場合、前記特定セクタ内で、再度、前記最小チャネライゼーションコードにおいて使用可能な第２送信タイミングをランダムに選択し、前記移動局用のチャネライゼーションコード及び送信タイミングとして、該第２送信タイミング及び前記最小チャネライゼーションコードを割り当てるように構成されていてもよい。
【００２３】
本発明の第２の特徴において、前記割当部は、前記第１送信タイミングが、前記無線制御装置配下の全てのセクタにおける全てのチャネライゼーションコードで使用可能でない場合、前記特定セクタ内で、前記無線制御装置配下の全てのセクタで最も使用頻度が低いチャネライゼーションコード及び送信タイミングの組み合わせを選択し、前記移動局用のチャネライゼーションコード及び送信タイミングとして、前記無線制御装置配下の全てのセクタで最も使用頻度が低いチャネライゼーションコード及び送信タイミングの組み合わせを割り当てるように構成されていてもよい。
【００２４】
本発明の第３の特徴は、無線基地局が、無線制御装置によって割り当てられたチャネライゼーションコード及び送信タイミングで、送信電力制御チャネルを介して、移動局において使用される上りユーザデータの送信電力を制御するための送信電力制御情報を通知するように構成されている移動通信システムで用いられる無線制御装置であって、前記移動局が、特定セクタにおいて前記無線基地局との間で無線リンクを設定する際に、該特定セクタ以外のセクタにおけるチャネライゼーションコード及び送信タイミングの使用状況に基づいて、該移動局用のチャネライゼーションコード及び送信タイミングを割り当てるように構成されている割当部を具備するように構成されていてもよい。
【００２５】
本発明の第３の特徴において、前記割当部は、前記特定セクタ内で使用可能なチャネライゼーションの中で最小の識別番号を有する最小チャネライゼーションコードにおいて使用可能な第１送信タイミングをランダムに選択し、前記第１送信タイミングが、前記無線制御装置配下の全てのセクタにおける全てのチャネライゼーションコードで使用可能である場合、前記移動局用のチャネライゼーションコード及び送信タイミングとして、該第１送信タイミング及び前記最小チャネライゼーションコードを割り当てるように構成されていてもよい。
【００２６】
本発明の第３の特徴において、前記割当部は、前記第１送信タイミングが、前記無線制御装置配下の全てのセクタにおける全てのチャネライゼーションコードで使用可能でない場合、前記特定セクタ内で、再度、前記最小チャネライゼーションコードにおいて使用可能な第２送信タイミングをランダムに選択し、前記移動局用のチャネライゼーションコード及び送信タイミングとして、該第２送信タイミング及び前記最小チャネライゼーションコードを割り当てるように構成されていてもよい。
【００２７】
本発明の第３の特徴において、前記割当部は、前記第１送信タイミングが、前記無線制御装置配下の全てのセクタにおける全てのチャネライゼーションコードで使用可能でない場合、前記特定セクタ内で、前記無線制御装置配下の全てのセクタで最も使用頻度が低いチャネライゼーションコード及び送信タイミングの組み合わせを選択し、前記移動局用のチャネライゼーションコード及び送信タイミングとして、前記無線制御装置配下の全てのセクタで最も使用頻度が低いチャネライゼーションコード及び送信タイミングの組み合わせを割り当てるように構成されていてもよい。
【発明の効果】
【００２８】
以上説明したように、本発明によれば、特定セクタへのハンドオーバ後の移動局ＵＥに対して送信されるＦ-ＤＰＣＨシンボルが、特定セクタ内の別の移動局ＵＥに対して送信されるＦ-ＤＰＣＨシンボルと衝突するという事態を可及的に回避することができる移動通信方法、移動通信システム及び無線制御装置を提供することができる。
【発明を実施するための最良の形態】
【００２９】
（本発明の第１の実施形態に係る移動通信システムの構成）
図１及び図２を参照して、本発明の第１の実施形態に係る移動通信システムの構成について説明する。
【００３０】
本実施形態では、３ＧＰＰ  Ｒｅｌｅａｓｅ  ６で規定されている移動通信システム、特に、ＥＵＬ（Ｅｎｈａｎｃｅｄ  Ｕｐｌｉｎｋ）/ＨＳＵＰＡ（Ｈｉｇｈ  Ｓｐｅｅｄ  Ｕｐｌｉｎｋ  Ｐａｃｋｅｔ  Ａｃｃｅｓｓ）方式が採用されている移動通信システムを例に挙げて説明するが、本発明は、かかる例に限定されるものではない。
【００３１】
本実施形態に係る移動通信システムでは、図５に示すように、各無線基地局ＮｏｄｅＢ＃１及び＃２が、送信電力制御チャネル（以下、Ｆ-ＤＰＣＨ）を介して、各移動局ＵＥ＃１及び＃２において使用される上りユーザデータの送信電力を制御するための送信電力制御情報（以下、Ｆ-ＤＰＣＨシンボル）を通知するように構成されている。
【００３２】
具体的には、各無線基地局ＮｏｄｅＢ＃１及び＃２が、無線制御装置ＲＮＣによって割り当てられたチャネライゼーションコード（以下、ＣＣ）及び送信タイミングで、Ｆ-ＤＰＣＨを介して、各移動局ＵＥ＃１及び＃２に対してＦ-ＤＰＣＨシンボルを通知するように構成されている。
【００３３】
無線制御装置ＲＮＣは、移動局ＵＥが、特定セクタにおいて無線基地局ＮｏｄｅＢとの間で無線リンクを設定する際に、特定セクタ以外のセクタにおけるＣＣ及び送信タイミングの使用状況に基づいて、Ｆ-ＤＰＣＨシンボルを送信するための当該移動局ＵＥ用のＣＣ及び送信タイミングを割り当てるように構成されている。
【００３４】
図１に示すように、無線制御装置ＲＮＣは、無線リンク設定処理部１１と、検索部１２と、決定部１３とを具備している。
【００３５】
無線リンク設定処理部１１は、各移動局ＵＥと各無線基地局（各セクタ）との間の無線リンクを設定するための処理を行うように構成されている。
【００３６】
具体的には、無線リンク設定処理部１１は、各移動局ＵＥからの無線リンク設定要求等に応じて、当該無線リンクの設定に必要な情報を、各移動局ＵＥや各無線基地局ＮｏｄｅＢに対して提供するように構成されている。
【００３７】
例えば、無線リンク設定処理部１１は、移動局ＵＥが特定セクタにおいて無線基地局ＮｏｄｅＢとの間で無線リンクを設定する際に（例えば、移動局ＵＥが特定セクタにおいて無線基地局ＮｏｄｅＢを介して通信を開始する際に、或いは、移動局ＵＥが他のセクタから特定セクタに対してハンドオーバする際に）、決定部１３によって割り当てられた当該移動局ＵＥ用のＣＣ及び送信タイミングを、各移動局ＵＥや各無線基地局ＮｏｄｅＢに対して提供するように構成されている。
【００３８】
検索部１２は、移動局ＵＥが特定セクタにおいて無線基地局ＮｏｄｅＢとの間で無線リンクを設定する際に、当該特定セクタ内で使用可能なＣＣの中で最小の識別番号を有する最小ＣＣにおいて使用可能な第１送信タイミングをランダムに選択するように構成されている。
【００３９】
図２において、例えば、検索部１２は、移動局ＵＥがセクタ＃ｎにおいて無線基地局ＮｏｄｅＢとの間で無線リンクを設定する際に、セクタ＃ｎ内で使用可能なＣＣ＃１乃至＃ｎの中で最小の識別番号を有する最小ＣＣ＃１において使用可能な第１送信タイミングτ＃３を選択する。
【００４０】
ここで、検索部１２は、上述の第１送信タイミングが、無線制御装置ＲＮＣ配下の全てのセクタにおける全てのＣＣで使用可能である場合、第１送信タイミングを決定部１３に対して出力するように構成されている。
【００４１】
上述の例では、検索部１２は、第１送信タイミングτ＃３を決定部１３に対して出力する。
【００４２】
また、検索部１２は、上述の第１送信タイミングが、無線制御装置ＲＮＣ配下の全てのセクタにおける全てのＣＣで使用可能でない場合、当該特定セクタ内で、再度、最小ＣＣにおいて使用可能な第２送信タイミングをランダムに選択して、決定部１３に対して出力するように構成されていてもよい。
【００４３】
ここで、第１送信タイミングと第２送信タイミングとは、同一の送信タイミングであってもよい。
【００４４】
図２の例では、検索部１２は、上述の第１送信タイミングτ＃３が、無線制御装置ＲＮＣ配下の全てのセクタ＃１乃至＃Ｘにおける全てのＣＣ＃１乃至＃ｎで使用可能でないため、セクタ＃ｎ内で、再度、最小ＣＣ＃１において使用可能な第２送信タイミングτ＃４を選択して、決定部１３に対して出力する。
【００４５】
また、検索部１２は、上述の第１送信タイミングが、無線制御装置ＲＮＣ配下の全てのセクタにおける全てのＣＣで使用可能でない場合、無線制御装置ＲＮＣ配下の全てのセクタで最も使用頻度が低いＣＣ及び送信タイミングの組み合わせを選択して、決定部１３に対して出力するように構成されていてもよい。
【００４６】
図２の例では、検索部１２は、上述の第１送信タイミングτ＃３が、無線制御装置ＲＮＣ配下の全てのセクタ＃１乃至＃６における全てのＣＣ＃１乃至＃ｎで使用可能でないため、無線制御装置ＲＮＣ配下の全てのセクタ＃１乃至＃Ｘで最も使用頻度が低いＣＣ及び送信タイミングの組み合わせ（例えば、ＣＣ＃２及び送信タイミング＃８）を選択して、決定部１３に対して出力する。
【００４７】
決定部１３は、移動局ＵＥが特定セクタにおいて無線基地局ＮｏｄｅＢとの間で無線リンクを設定する際に、検索部１２によって出力されたＣＣ及び送信タイミングの組み合わせを、当該移動局ＵＥ用のＣＣ及び送信タイミングとして割り当てるように構成されている。
【００４８】
なお、決定部１３は、移動局ＵＥが特定セクタにおいて無線基地局ＮｏｄｅＢとの間の無線リンクを追加する際には、無線リンクについての変更要求を受信しない限り、当該移動局ＵＥと当該無線基地局ＮｏｄｅＢとの間で既に確立されている無線リンクに関して割り当てられている当該移動局ＵＥ用のＣＣ及び送信タイミングを、Ｆ-ＤＰＣＨシンボルを送信するための当該移動局ＵＥ用のＣＣ及び送信タイミングとして割り当てるように構成されていてもよい。
【００４９】
（本発明の第１の実施形態に係る移動通信システムの動作）
図３及び図４を参照して、本発明の第１の実施形態に係る移動通信システム（具体的には、無線制御装置）の動作について説明する。
【００５０】
第１に、図３を参照して、本実施形態に係る移動通信システムの第１の動作について説明する。
【００５１】
図３に示すように、ステップＳ１０１において、無線制御装置ＲＮＣは、移動局ＵＥからの特定セクタにおける無線リンク設定要求（例えば、通信開始要求）を受信した場合、当該特定セクタ内で使用可能なＣＣの中で最小の識別番号を有する最小ＣＣにおいて使用可能な第１送信タイミングをランダムに選択する。
【００５２】
ステップＳ１０２において、無線制御装置ＲＮＣは、上述の第１送信タイミングが、無線制御装置ＲＮＣ配下の全てのセクタにおける全てのＣＣで使用可能であるか否かについて判定する。
【００５３】
使用可能であると判定された場合、ステップＳ１０３において、無線制御装置ＲＮＣは、かかる第１送信タイミングを、当該移動局ＵＥにＦ-ＤＰＣＨシンボルを送信するために用いられるＣＣ及び送信タイミングとして割り当てる。
【００５４】
一方、使用可能でないと判定された場合、ステップＳ１０４において、無線制御装置ＲＮＣは、当該特定セクタ内で、再度、最小ＣＣにおいて使用可能な第２送信タイミングをランダムに選択して、かかる第２送信タイミングを、当該移動局ＵＥにＦ-ＤＰＣＨシンボルを送信するために用いられるＣＣ及び送信タイミングとして割り当てる。
【００５５】
第２に、図４を参照して、本実施形態に係る移動通信システムの第２の動作について説明する。
【００５６】
図４に示すように、ステップＳ２０１において、無線制御装置ＲＮＣは、移動局ＵＥからの特定セクタにおける無線リンク設定要求（例えば、通信開始要求）を受信した場合、当該特定セクタ内で使用可能なＣＣの中で最小の識別番号を有する最小ＣＣにおいて使用可能な第１送信タイミングをランダムに選択する。
【００５７】
ステップＳ２０２において、無線制御装置ＲＮＣは、上述の第１送信タイミングが、無線制御装置ＲＮＣ配下の全てのセクタにおける全てのＣＣで使用可能であるか否かについて判定する。
【００５８】
使用可能であると判定された場合、ステップＳ２０３において、無線制御装置ＲＮＣは、かかる第１送信タイミングを、当該移動局ＵＥにＦ-ＤＰＣＨシンボルを送信するために用いられるＣＣ及び送信タイミングとして割り当てる。
【００５９】
一方、使用可能でないと判定された場合、ステップＳ２０４において、無線制御装置ＲＮＣは、無線制御装置ＲＮＣ配下の全てのセクタで最も使用頻度が低い（使用可能数が最も多い）ＣＣ及び送信タイミングの組み合わせを選択して、当該移動局ＵＥにＦ-ＤＰＣＨシンボルを送信するために用いられるＣＣ及び送信タイミングとして割り当てる。
【００６０】
（本発明の第１の実施形態に係る移動通信システムの作用・効果）
本実施形態に係る移動通信システムによれば、特定セクタにおいて無線基地局ＮｏｄｅＢとの間で無線リンクを設定する際に、特定セクタ以外のセクタにおけるＣＣ及び送信タイミングの使用状況に基づいて、Ｆ-ＤＰＣＨシンボルを送信するための当該移動局ＵＥ用のＣＣ及び送信タイミングを割り当てるため、特定セクタへのハンドオーバ後の移動局ＵＥ＃２に対して送信されるＦ-ＤＰＣＨシンボルが、特定セクタ内の移動局ＵＥ＃１に対して送信されるＦ-ＤＰＣＨシンボルと衝突するという事態を可及的に回避することができる。
【００６１】
なお、上述の移動局ＵＥや無線基地局ＮｏｄｅＢや無線制御装置ＲＮＣの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ＮｏｄｅＢや無線制御装置ＲＮＣ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６５】
【図１】本発明の第１の実施形態に係る無線制御装置の機能ブロック図である。
【図２】本発明の第１の実施形態に係る移動通信システムの各セルにおけるＦ-ＤＰＣＨの割り当て状況の一例を示す図である。
【図３】本発明の第１の実施形態に係る移動通信システムの動作を示すフローチャートである。
【図４】本発明の第１の実施形態に係る移動通信システムの動作を示すフローチャートである。
【図５】３ＧＰＰに規定されている移動通信システムの全体構成図である。
【図６】３ＧＰＰに規定されている移動通信システムで用いられるＦ-ＤＰＣＨの構造について説明するための図である。
【図７】３ＧＰＰに規定されている移動通信システムで用いられるＦ-ＤＰＣＨにおける各スロットの構造を規定するテーブルを示す図である。
【図８】３ＧＰＰに規定されている移動通信システムで用いられるＦ-ＤＰＣＨシンボルの送信タイミングの一例を示す図である。
【図９】３ＧＰＰに規定されている移動通信システムにおいて、Ｆ-ＤＰＣＨシンボルを送信するためのチャネライゼーションコード及び送信タイミングを割り当てる様子を説明するための図である。
【符号の説明】
【００６６】
ＲＮＣ…無線制御装置
１１…無線リンク設定部
１２…検索部
１３…決定部
ＮｏｄｅＢ…無線基地局
ＵＥ…移動局
【図１】
0005039591.tif 000002
【図２】
0005039591.tif 000003
【図３】
0005039591.tif 000004
【図４】
0005039591.tif 000005
【図５】
0005039591.tif 000006
【図６】
0005039591.tif 000007
【図７】
0005039591.tif 000008
【図８】
0005039591.tif 000009
【図９】
0005039591.tif 000010